(57)【特許請求の範囲】
【請求項１】
造営材の一面側に配置されるＬＥＤ照明装置であって、
前記造営材に取り付けられるＬＥＤ照明本体と、
前記ＬＥＤ照明本体に装着されるシェードと、を備え、
前記ＬＥＤ照明本体は、
ＬＥＤ素子が実装されるＬＥＤ基板と、
前記ＬＥＤ基板に電力を供給する点灯回路基板と、
前記ＬＥＤ基板、前記点灯回路基板を搭載するベース部材と、
前記ベース部材を覆うＬＥＤカバーと、
前記ベース部材の中央部に設けられ、前記ＬＥＤ素子の光出射状態を制御するスイッチと、を有し、
前記スイッチを操作する引き紐が、前記ＬＥＤカバーの開口部を通過して前記ＬＥＤ素子の光出射方向に延長して設けられ、
前記引き紐の端部に、光出射状態を制御するリモコンが着脱自在に取り付くことを特徴とするＬＥＤ照明装置。
【請求項２】
前記リモコンには、中央に貫通部を有する接続部が、前記リモコンの上部から延出して設けられていることを特徴とする請求項１に記載されたＬＥＤ照明装置。
【請求項３】
前記引き紐は、端部に重り部が接続されていることを特徴とする請求項１又は請求項２のいずれかに記載されたＬＥＤ照明装置。
【請求項４】
前記貫通部に、前記重り部が挿入されていることを特徴とする請求項３に記載されたＬＥＤ照明装置。
【発明の詳細な説明】
【技術分野】
【０００１】
本発明は、ＬＥＤ照明装置、特に天井面に設置された配線器具に接続される吊り下げ型のＬＥＤ照明装置に関するものである。
【背景技術】
【０００２】
近年、環境意識の高まりから、省電力化に優れたＬＥＤ素子を光源に使用した、電源内蔵型の電球型ＬＥＤランプが普及してきた。更に最近は、天井直付け型のシーリングライトや、天井面から吊り下げる吊下げ型のペンダントライトにおいても、ＬＥＤ素子を使用した照明装置が開発され、市場に導入されてきている。
【０００３】
上記のようなＬＥＤ素子を使用した照明装置のうち、吊下げ型のペンダントライトとしては、例えば特許文献１に示すような、天井面に取り付けられたローゼット等の配線器具に、引掛けシーリングを介して照明装置を装着するものが知られている。
【０００４】
具体的には、特許文献１に記載されている照明装置は、天井から電源コードにより吊設される吊り下げ形照明器具であって、ランプが着脱自在に装着されるソケットと、ランプを点灯する点灯回路が実装された回路基板と、ソケットが取り付けられるとともに内部に点灯回路が収納される金属製の器具本体と、器具本体と回路基板の間に介装されて器具本体から点灯回路を絶縁する合成樹脂製の絶縁部材と、器具本体の上面に設けられ電源コードの余長部位を内部に収容するとともに電源コードに支持されるコードカバーとを備えている。そして、器具本体における電源コードによって吊り下げられる位置を挟んでソケットと反対側の位置に絶縁部材を配置している。
このような器具本体における電源コードによって吊り下げられる位置を挟んでソケットと反対側の位置に絶縁部材を配置することで器具本体の重量バランスをとって器具本体を水平に保つことができるから、従来の重りが不要となって部品点数の削減によるコストダウンが図れる。
【０００５】
しかしながら、この特許文献１に記載されている照明装置においては、部品点数の削減によるコストダウンができるものの、蛍光ランプ、豆球を点灯・消灯させる操作は、操作片に接続された引き紐の操作でのみ実施されているため、遠隔からの蛍光ランプ、豆球を点灯・消灯する操作はできないという問題があった。
【先行技術文献】
【特許文献】
【０００６】
【特許文献１】特開２００４−９５３６８号公報
【発明の概要】
【発明が解決しようとする課題】
【０００７】
本発明が解決しようとする課題は、上記の問題点に鑑み、引き紐スイッチによる操作と遠隔操作の２つの操作をすることができ、遠隔操作用のリモコンを引き紐の端部に着脱自在に取り付けることができるＬＥＤ照明装置を提供することにある。
【課題を解決するための手段】
【０００８】
本発明は、上記の課題を解決するための第１の手段として、造営材の一面側に配置されるＬＥＤ照明装置であって、造営材に取り付けられるＬＥＤ照明本体と、ＬＥＤ照明本体に装着されるシェードと、を備え、ＬＥＤ照明本体は、ＬＥＤ素子が実装されるＬＥＤ基板と、ＬＥＤ基板に電力を供給する点灯回路基板と、ＬＥＤ基板、点灯回路基板を搭載するベース部材と、ベース部材を覆うＬＥＤカバーと、ベース部材の中央部に設けられ、ＬＥＤ素子の光出射状態を制御するスイッチと、を有し、スイッチを操作する引き紐が、ＬＥＤカバーの開口部を通過してＬＥＤ素子の光出射方向に延長して設けられ、引き紐の端部に、光出射状態を制御するリモコンが着脱自在に取り付くことを特徴とするＬＥＤ照明装置を提供するものである。
【０００９】
本発明は、上記の課題を解決するための第２の手段として、リモコンには、中央に貫通部を有する接続部が、リモコンの上部から延出して設けられていることを特徴とするＬＥＤ照明装置を提供するものである。
【００１０】
本発明は、上記の課題を解決するための第３の手段として、引き紐は、端部に重り部が接続されていることを特徴とするＬＥＤ照明装置を提供するものである。
【００１１】
本発明は、上記の課題を解決するための第４の手段として、貫通部に、重り部が挿入されていることを特徴とするＬＥＤ照明装置を提供するものである。
【発明の効果】
【００１２】
本発明によれば、上記のように、引き紐の端部に、光出射状態を制御するリモコンが着脱自在に取り付いているため、リモコンを多様な方法で利用することができる。これにより、リモコンが引き紐から離脱されている場合は、通常のリモコンのように離れた位置からＬＥＤ照明装置の光出射状態を制御し、リモコンが引き紐に装着されている場合は、通常のリモコン操作と共に引き紐をリモコンの収納場所としての利用ができる実益がある。
【００１３】
また、本発明によれば、上記のように、リモコンには、中央に貫通部を有する接続部が、リモコンの上部から延出して設けられているため、リモコンを着脱自在となる構成にすることができる実益がある。
【００１４】
また、本発明によれば、上記のように、引き紐は、端部に重り部が接続されているため、引き紐をＬＥＤ照明装置の中央部に安定して保持することができる実益がある。
【００１５】
また、本発明によれば、上記のように、貫通部に重り部が挿入されていることにより構成されているため、リモコンを容易に引き紐に着脱自在とすることができる実益がある。
【図面の簡単な説明】
【００１６】
【図１】本発明のＬＥＤ照明装置にリモコンを取り付けた正面図である。
【図２】本発明のＬＥＤ照明装置の中心を通る垂直断面図である。
【図３】本発明のＬＥＤ照明装置の分解斜視図である。
【図４】本発明に用いられる吊り部材とＬＥＤ照明本体の外観斜視図である。
【図５】本発明に用いられる吊り部材の斜視図である。
【図６】本発明に用いられる吊り部材の中心を通る垂直断面図である。
【図７】本発明に用いられるＬＥＤ照明本体のＬＥＤカバーを外した状態の底面図である。
【図８】本発明に用いられるＬＥＤ照明本体のＬＥＤカバーを外した状態の平面図である。
【図９】本発明に用いられるベース部材の底面図である。
【図１０】本発明に用いられるベース部材の平面図である。
【図１１】本発明に用いられるベース部材内における点灯回路基板とＬＥＤ基板の配置図である。
【図１２】図１１のＡ−Ａ断面図である。
【図１３】本発明に用いられる点灯回路基板の平面図である。
【図１４】本発明に用いられる点灯回路基板の平面図であり点灯回路基板を透過した図である。
【図１５】本発明に用いられる点灯回路カバーの斜視図である。
【図１６】本発明に用いられる点灯回路カバーの平面図である。
【図１７】図１６のＢ−Ｂ断面図である。
【図１８】本発明に用いられるＬＥＤカバーの平面図である。
【図１９】図１８のＣ−Ｃ断面図である。
【図２０】本発明に用いられる虫侵入防止部材の分解斜視図である。
【図２１】本発明に用いられる虫侵入防止部材の外観斜視図である。
【図２２】本発明に用いられる虫侵入防止部材の中心を通る垂直断面図である。
【図２３】本発明に用いられるシェードの斜視図である。
【図２４】本発明に用いられるシェードの中心を通る垂直断面図である。
【図２５】本発明の他のＬＥＤ照明装置の外観斜視図である。
【図２６】本発明に用いられる他のシェードの斜視図である。
【図２７】本発明に用いられる他のシェードの中心を通る垂直断面図である。
【図２８】本発明に用いられるリモコンの斜視図である。
【図２９】本発明に用いられるリモコンの正面図である。
【図３０】本発明に用いられるリモコンの背面斜視図である。
【図３１】本発明に用いられるリモコンと引き紐の取り付け説明図である。
【発明を実施するための形態】
【００１７】
以下に本発明の好適な実施の形態について、図面を参照しながら詳細に説明する。なお本実施形態は一例であり、これに限定されるものではない。
【００１８】
図１乃至図３は、本発明のＬＥＤ照明装置２００の実施の形態の一つを示し、ＬＥＤ照明装置２００は、造営材である天井面１１からＬＥＤ照明本体１を吊り下げる吊り部材２と、ＬＥＤ照明本体１と、このＬＥＤ照明本体１に装着されるシェード９とから成っている。このＬＥＤ照明装置２００は、特に図２に示すように、天井面１１にあらかじめ設置されているロゼットや引掛シーリングボディ等の配線器具１２に、電気的かつ機械的に接続される取付部材である引掛刃を備えた引掛けシーリング２１により、吊り部材２が着脱自在に装着される。
【００１９】
このＬＥＤ照明装置２００を天井面１１に装着する場合、図１及び図２に示すＬＥＤ照明本体１に吊り部材２を回動して固定し、その上からシェード９を装着してＬＥＤ照明装置２００を組み立てる。その後、吊り部材２の天井面１１側に取付けられている引掛けシーリング２１を天井面１１の配線器具１２へ向けて押し込みながら、配線器具１２と引掛けシーリング２１の引掛刃とを接続するように、回動させて固定する。
この場合、造営材としての天井面１１に配線器具１２が設けられていれば、天井面１１に特別な補強を施すことなく、施工性良くＬＥＤ照明装置２００を取付けることができる。
【００２０】
また、図１に示すように、ＬＥＤ照明装置２００の光出射状態を制御する引き紐４１の端部に、光出射状態を制御するリモコン１３が着脱自在に取り付けられている。
これにより、リモコンが引き紐から離脱されている場合は、通常のリモコンのように離れた位置からＬＥＤ照明装置の光出射状態を制御し、リモコンが引き紐に装着されている場合は、通常のリモコン操作と共に引き紐４１をリモコンの収納場所として利用できる。
【００２１】
（１．  吊り部材）
吊り部材２は、図１乃至図６に示すように、造営材である天井面１１に設けられている配線器具１２からＬＥＤ照明本体１とシェード９を吊るための部材である。吊り部材２は、配線器具１２と引掛刃を嵌装して固定する引掛シーリング２１と、この引掛けシーリング２１の外観を覆う樹脂製の引掛けカバー２２と、引掛けシーリング２１の引掛刃と接続されてＬＥＤ照明本体１に商用電源を導通させるためのコード２３と、ＬＥＤ照明本体１と回動接続するとともに内部にコード２３を収納する空間を有する底面（下面）が開口する略円錐台形のコードハウジング２５と、コード２３を調整してコードハウジング２５に固定するコードアジャスト２４とにより、構成されている。
【００２２】
コードハウジング２５の底面（下面）外縁に延出して設けられた複数の嵌合部２５ａは、後述するＬＥＤ照明本体１のベース部材３の突部３１に設けられた複数の引掛部３１ａに挿入回動することにより、着脱自在の構成となる。これにより、吊り部材２とＬＥＤ照明本体１は接続され、吊り部材２の側からシェード９の開口部９１を挿入することでシェード９をコードハウジング２５に嵌装して、吊り部材２を天井面１１の配線器具１２に固定して、ＬＥＤ照明装置２００を構成する。
【００２３】
（２．  ＬＥＤ照明本体）
ＬＥＤ照明本体１は、図１乃至図４に示すように、ベース部材３と、このベース部材３に設置されているＬＥＤ素子７１（図７参照）が実装されているＬＥＤ基板７と、ＬＥＤ基板７に電力を供給する点灯回路基板５と、ＬＥＤ素子７１の光出射状態を制御するスイッチ４と、点灯回路基板５を覆う点灯回路カバー６と、ベース部材３を覆う透光性のＬＥＤカバー８から構成されている。ＬＥＤ照明本体１は、特に、図１及び図２に示すように、回動して吊り部材２に固定されて、光を出射可能な構成となる。
【００２４】
（２．−１  ベース部材）
ＬＥＤ照明本体１のベース部材３は、冷間圧延鋼板（ＳＰＣＣ）等の金属材料を使用して、打抜加工、プレス加工、折曲加工等によって作製される。ベース部材３は、図３、図４、図７乃至図１２に示すように、円盤形状で、特に図１０及び図１２に示すように中央部に上面側に突出する円錐台の突部３１が設けられ、その外周に円環状にＬＥＤ基板７を固定するＬＥＤ基板配置部３２が形成されている。
【００２５】
また、ベース部材３には、図１０に示すように、環状に加工された外周リブ３２ｃ
と、複数の放射方向リブ３２ａが加工されている。これらのリブ３２ａ、３２ｃを設けることにより、ベース部材３の強度を補強することができ、ベース部材３を構成する金属材料の厚みを薄くすることが可能になり、軽量化とコストダウンを実現することができるとともに、放熱面積を増加させることができる。
【００２６】
さらに、ベース部材３の突部３１の凸側（上面）には、吊り部材２のコードハウジング２５の外縁から延出している４つの嵌合部２５ａと嵌合するための、ベース部材３を加工した略円弧形状の引掛部３１ａが均等配置で設けられている。引掛部３１ａは、嵌合部２５ａが挿入できるように、中央側と挿入側が開放された形状となっている。すなわち、ベース部材３の径方向と周方向に開口する開口部を有している。そして、挿入された嵌合部２５ａを引掛部３１ａに固定するために、２つの引掛部３１ａの挿入側に、挿入側に傾斜した突となるコの字状の嵌合固定部３１ｂを設けている。この嵌合固定部３１ｂの構造により、嵌合部２５ａが挿入しやすく、嵌合部２５ａが引掛部３１ａとしっかりと固定され、外力により嵌合部２５ａが引掛部３１ａより解除されることの無い構造となっている。また、略半月形状の引掛孔封止シート３４が、図９と図１１に示すように突部３１の裏側から引掛部３１ａと嵌合固定部３１ｂの開口部を塞ぐように、ベース部材３の突部３１に貼られている。これにより、ＬＥＤ照明本体１のベース部材３における開口部分からの虫侵入を防ぐことができる。
【００２７】
ベース部材３の突部３１には、そのほかに、点灯回路基板５を固定するための点灯基板固定用孔３１ｃと、商用電源を点灯回路基板５に送る電源コネクタ開口部３１ｄと、スイッチ４をベース部材３に固定するためのスイッチ固定孔３１ｅと、固定されたスイッチ４の突出部を挿入して回転を防止して定位置に固定させるための回転止め孔３１ｆと、点灯回路基板５とベース部材３の間に設けられる放熱パット６０（図１４参照）の有無を設置後でも確認できるように設けた放熱パット確認孔３１ｇと、点灯回路カバー６を固定するためのカバー止め孔３１ｈが、形成されている。電源コネクタ開口部３１ｄに電源用コネクタを挿入する時は、周囲にスポンジ等を巻いて電源コネクタ開口部３１ｄの隙間からの虫の侵入を防いでいる。
ベース部材３のＬＥＤ基板配置部３２は、突部３１の外側の環状の部分である。図１０に示すように、ベース部材３の強度を補強するために、ＬＥＤ基板配置部３２の外周側に外周リブ３２ｃが設けられ、さらにＬＥＤ基板配置部３２の内部に放射状リブ３２ａが設けられている。放射状リブ３２ａの外周寄りの両側には、ＬＥＤ基板７をベース部材３に固定するためのＬＥＤ基板固定孔３２ｂが形成されている。これにより、ＬＥＤ基板７は、２つの放射状リブ３２ｃの間でしっかり固定されるので、ベース部材３と密着させることができ、ＬＥＤ基板７の放熱効率を上げることができる。
【００２８】
（２．−２  スイッチ）
図２と図１２に示すように、スイッチ４は、引き紐４１が取り付けられている構成となっている。スイッチ４は、トグルスイッチであり、引き紐４１を引く毎に、例えば、全灯、省エネ点灯、常夜灯点灯、消灯を繰り返す構造となっている。
引き紐４１は、スイッチ４に取り付ける接続紐４１ａと、接続紐４１ａにつながる適当な長さのボールチェーン部４１ｂと、ボールチェーン部４１ｂの端部に付けられた円柱形状の重り部４１ｃとから成っている。本願では、引き紐４１を３つの部材からなる構成としたが、接続紐４１ａのみからなる構成としてもよい。
【００２９】
（２．−３  点灯回路基板）
点灯回路基板５は、片面に配線された紙フェノール基板（ＦＲ−１）で構成されており、図９乃至図１４に示すように、ベース部材３の突部３１の部分に、絶縁シート３３を介して固定されている。点灯回路基板５は、正方形の各角をカットした略四角形で、中央部に、スイッチ４をベース部材３に設置させるための四角形の点灯基板開口部５１が設けられている。絶縁シート３３は、点灯回路基板５とベース部材３との絶縁を図るためのものであり、点灯回路基板５と同様の形状をしている。本願では、点灯回路基板５と絶縁シート３３を略四角形としたが、突部３１に収納可能な形状であれば、円形等の他の形状でも良い。
【００３０】
光出射方向である点灯回路基板５の前面には、背の高い回路部品等が搭載されている。
具体的には、図１３に示すように、点灯回路開口部５１からの商用電源線を接続する電源コネクタ５３、ＬＥＤ基板７に通電配線するための点灯コネクタ５４、常夜灯５５、背の高い電子部品であるトランス５６と電解コンデンサ５７が搭載され、回路部品として過電流保護、ノイズカット、整流、平滑、調光制御などを行うための各種ダイオード、コンデンサ、トランス、ＩＣ、抵抗などが搭載されている。電源コネクタ５３は、ベース部材３の電源コネクタ開口部３１ｄとスイッチ４から隔てられた点灯基板開口部５１の近傍に配置されている。これにより、商用電源線の太い線材を配線することが容易となる。
【００３１】
また、点灯回路基板５には、リモコン１３からの信号（例えば、赤外線信号等）を受光するための受光部５０１とブザー５０２が、さらに搭載されている。リモコン１３からの光出射状態を制御する信号が出されると、その信号を点灯回路基板５の受光部５０１が、受光して光出射状態を制御する。これにより、ＬＥＤ照明装置２００の光出射状態を制御する手段が、引き紐４１の操作と、リモコン１３の操作との２つの操作により実現することが可能となる。ブザー５０２は、リモコン１３の操作を受光部５０１側が受光したことを、リモコン１３の操作者に音で知らせるために設けられている。
【００３２】
ベース部材３に対向する点灯回路基板５の後面には、背の低い回路部品等が搭載されている。具体的には、図１４に示すように、駆動用や制御用のＩＣ５８のような回路部品が搭載されている。ここで、特に高温になりやすい回路部品であるＩＣ５８とベース部材３の間に、放熱パット６０を配して点灯回路基板５を固定することにより、ＩＣ５８の放熱を十分に行うことが可能になり、点灯効率の改善をすることができる。放熱パット６０の固定状況は、ベース部材３の放熱パット確認孔３１ｇから確認することができる構成となっている。
【００３３】
なお、点灯回路基板５とベース部材３の固定は、四隅に設けられた、対角線上でペアとなる２種類の孔で行われる。２種類の孔は、点灯基板固定孔５２と、ベース部材３と点灯回路基板５とのアースを取るためのアース端子孔５９で、挿入ピンを挿入して点灯回路基板５とベース部材３を固定する。
【００３４】
（３．−４  点灯回路カバー）
点灯回路カバー６は、難燃性で高反射性の耐熱樹脂材料であるポリカーボネートを使用して作製されており、図１５乃至図１７に示すように、一方の端面がメッシュ構造を有する円筒形状で、点灯回路基板５を覆うようにベース部材３に固定されている。メッシュ面の外周部には、図１７に示すように、点灯回路基板５の端部に設けられている常夜灯５５を覆うように円筒形の常夜灯筒６１が設けられて、常夜灯５５の光出射をＬＥＤカバー８の前面に導いている。点灯回路カバー６をメッシュ構造にすることにより、点灯回路基板５を密閉しないことによる放熱効率のアップを図ることができる。
また、点灯回路カバー６の外周端部に、常夜灯５５を覆う常夜灯筒６１が設けられているので、常夜灯５５を覆うための部品点数と工数削減ができ、コストダウンも図ることができる。
【００３５】
また、メッシュ面の中央部には、スイッチ４からの接続紐４１ａを点灯回路カバー６から光出射方向に引きだすための引き紐開口部６２が設けられ、その外側に、点灯回路基板５のアース用端子孔５９を通じて点灯回路カバー６をベース部材３に固定するためのカバー固定孔６３が設けられている。そして、点灯カバー６の固定時に点灯回路基板５に当接するカバー脚６４が、点灯カバー６の凹部側に設けられている。
【００３６】
点灯回路カバー６のメッシュ部の開口部寸法は、点灯回路基板５に搭載されている部品よりも小さい。これにより、もしも回路部品が落下した場合であっても、部品が下方のＬＥＤカバー８に落下するのを防いでおり、ＬＥＤ照明装置の安全対策を図ることができる。また、点灯回路カバー６は、高反射性の樹脂材料で作製されている。そのため、点灯回路カバー６の表面を反射面仕様とすることにより、ＬＥＤ素子７１からの出射光をＬＥＤカバー８に反射することができ、光出射効率の低下を防いで均一に発光させることができる。
【００３７】
（３．−５  ＬＥＤ基板）
ＬＥＤ基板７は、図３、図７、図１１に示すように、環状に複数配設されている。より具体的には、図示の実施の形態では、所定の幅寸法を有した台形状の６枚のＬＥＤ基板７が、基板間配線７２によりつなぎ合わされて、全体として環状に形成されてベース部材３のＬＥＤ基板固定部３２に配置されている。このように１枚の基板とするのでなく、複数の基板をつないで用いることにより、熱収縮による基板の変形を抑制することができる。このときＬＥＤ基板７は、ＬＥＤ基板配置部３２の強度補強用の放射状リブ３２ａの間に配設して、ベース部材３の外周側に位置するＬＥＤ基板固定孔３２ｂとＬＥＤ基板７の外周側に位置する基板固定孔７４に、ベース部材３の天井面１１に対向する面からピン等を挿入することによりベース部材３に固定する。これにより、ＬＥＤ基板７をベース部材３と密着させることができ、ＬＥＤ基板７の放熱効率を上げることができる。
なお、ＬＥＤ基板７と点灯回路基板５の配線は、一端が一方の基板に接続されたリード線と、他方の基板に設置されリード線の他端に接続されるコネクタにより相互に接続されている。具体的には、ＬＥＤ基板７の少なくとも１つには、点灯回路基板５の点灯コネクタ５４から、点灯用の配線である点灯配線７３が接続されている。これにより、組み立て時の接続を容易にできるうえ、組み立て工数及び部品点数を削減することができ、コストダウンを実現することができる。
【００３８】
ＬＥＤ基板７は、ガラスコンポジット基板（ＣＥＭ−３）であり、片面にＬＥＤ素子７１が実装され、配線されている。図１１に示すように、ＬＥＤ基板７同士は、ＬＥＤ基板７上の、ＬＥＤ素子７１が実装された部分以外の領域において接続配線されている。これにより、基板間配線７２がＬＥＤ素子７１の光出射を妨げることがない。
【００３９】
また、ＬＥＤ基板７には、図１１に示すように、ＬＥＤ素子７１が、直線状に配置されている。但し、ＬＥＤ素子７１の個数や配列には特に限定はなく、直線状ではなく、千鳥状の関係を構成するように配置することもできる。ＬＥＤ基板７のＬＥＤ素子７１が実装されていない裏面を、ベース部材３のＬＥＤ基板固定部３２に固定して熱的に結合することにより、ＬＥＤ基板７から発生する熱をベース部材３により放熱することが可能となる。これにより、ＬＥＤ素子７１の効率を高めることもできるようになる。なお、ＬＥＤ基板７のＬＥＤ素子搭載面側に、高反射シートを貼合したり、高反射用樹脂を塗布することにより、さらに光取り出し効率を改善することができる。
【００４０】
（３．−６  ＬＥＤ素子）
ＬＥＤ基板７に実装するＬＥＤ素子７１としては、公知の種々のＬＥＤを用いることができる。本実施形態では、照明用の電球色を発光する高輝度タイプのＬＥＤ素子が用いられて、調光が可能なＬＥＤ照明装置２００の構成となっているが、照明用の電球色を発光する高輝度タイプのＬＥＤ素子と、昼光色を発光する高輝度タイプのＬＥＤ素子を用いて、調光調色が可能なＬＥＤ照明装置２００の構成としても良い。
【００４１】
（３．−７  ＬＥＤカバー）
ＬＥＤカバー８は、図１乃至図４と図１８と図１９に示すように、略半球形状で頂上部にカバー開口部８１を有し、外周部をベース部材３に嵌合させることにより、ＬＥＤ照明本体１を形成する。カバー開口部８１には、虫侵入防止部材８７のブッシュ凸部８７ａとブッシュ凹部８７ｆが嵌装されていて、引き紐４１が操作可能な構成となっている。ＬＥＤカバー８は、ポリプロピレン（ＰＰ）等の熱可塑性合成樹脂を使用して構成されているが、これは、軽量化及びコストダウンを図る上で好適であることに加え、外部のリモコンから出される赤外線の信号を透過して、赤外線の信号を点灯回路基板５上に設けられた受光部に到達させるのに、好適だからである。また、ＬＥＤカバー８を連続した曲面形状にしたり、高密度となる光拡散面を形成するシボ加工を内面に施したり、材料に拡散剤を含有させること等により、出射光を光拡散して全面で均一に発光させることができる。
【００４２】
ＬＥＤカバー８は、全外周に設けられた段差部８５の内側に、熱可塑性合成樹脂（ＥＶＡ）等で円環形状に作成された弾性部材８６を挿入して、ＬＥＤカバー８の外周の内側を延出させた第１固定部８３と複数の第２固定部８４を、ベース部材３の外周リブ３２ｃに嵌装するとともに、ベース部材３のカバー止め孔３１ｈにＬＥＤカバー８外周の固定用孔８２からネジ等を挿入して固定する。これにより、ベース部材３の外周リブ３２ｃとＬＥＤカバー８が嵌合されて、虫の侵入を防止することができる構成となる。また、ＬＥＤカバー８の固定用孔８２に対向して設けられている第１固定部８３が、他の第２固定部８４より内側に延出しているように構成することにより、ベース部材３とＬＥＤカバー８の嵌合強度を増す構造とすることができる。
【００４３】
（３．−８  虫侵入防止部材）
虫侵入防止部材８７は、図１８乃至図２２に示すように、シリコン等で作製したブッシュ凸部８７ａとブッシュ凹部８７ｆの２つの部分からなり、これら２つの部分を、ＬＥＤカバー８のカバー開口部８１を間に挟んで嵌合させる構成となっている。ブッシュ凸部８７ａには、円筒形状の挿入部８７ｂの一方端部を封止するような略円盤状のフタ部８７ｄと、挿入部８７ｂからフタ部８７ｄ側に延出する挿入凸部８７ｃが、一体成形されて設けられている。ブッシュ凹部８７ｆは、一方端部が封止された円筒形状をなしており、挿入口８７ｇから離れた内側に、挿入凹部８７ｈが一体成形されて設けられている。そこで、ＬＥＤカバー８のカバー開口部８１を挟んで、外側からブッシュ凸部８７ａを、内側からブッシュ凹部８７ｆを挿入して嵌合させることにより、カバー開口部８１を封止することができる。この嵌合は、ブッシュ凸部８７ａの挿入凸部８７ｃと、ブッシュ凹部８７ｆの挿入凹部８７ｈにより行われる。
【００４４】
また、ブッシュ凸部８７ａのフタ部８７ｄと、ブッシュ凹部８７ｆの封止端部には、十字に切り込みを入れた十字切部８７ｅ、８７ｊが設けられていて、スイッチ４からの引き紐４１を、ＬＥＤカバー８の外部に導いている。このように引き紐４１が、十字切部８７ｅ、８７ｆを貫通してＬＥＤカバー８の外部に出されているので、引き紐４１の操作がスムーズに行える上、虫の侵入をも防ぐことができる。
【００４５】
（３．−９  ＬＥＤ照明本体の組付）
上述したＬＥＤ照明本体１を構成するベース部材３、点灯回路基板５、点灯回路カバー６、ＬＥＤ基板７、ＬＥＤカバー８の相互の位置関係について、図２と図３を参照しながら説明する。まず、図２に示すように、ベース部材３の突部３１に絶縁シート３３を介して点灯回路基板５を挿入ピン等により固定し、さらに、点灯回路基板５を覆うように点灯回路カバー６が点灯回路基板５を共締めしながらネジ等により固定される。このとき、ベース部材３のＬＥＤ基板配置部３２には、６枚の台形状のＬＥＤ基板７が配設されている。そして、点灯回路基板５、点灯回路カバー６、ＬＥＤ基板７を覆うようにして、ＬＥＤカバー８が、ベース部材３に固定される。
【００４６】
（４．シェード）
吊り部材２とＬＥＤ照明本体１が嵌合された後、吊り部材２側から取り付けられるシェード９は、図１乃至図３、及び図２３と図２４に示されるように、上面、下面が開口する略円錐台の形状をしていて、上面の開口部９１が吊り部材２のコードハウジング２５に嵌装される。開口部９１が、コードハウジング２５に嵌装されることにより、シェード９は安定して固定される。シェード９の内側は、シボ加工等により模様が描かれた反射面となっていて、ＬＥＤカバー８からの拡散された光を下方に反射するように構成されている。 
【００４７】
なお、シェード９の材質としては、透明度が高く硬い熱可塑性樹脂の汎用ポリスチレン（ＧＰＰＳ）等が、用いられる。
【００４８】
他のシェードとしては、図２５乃至図２７に示すような、底面（下面）が開口する略立方体形状の本体部１０２を有し、本体部１０２の側面周囲に枠部１０３が取り付けられている構成のものがある。本シェードの上面の中央には、開口部１０１が開口していて、前述のシェード９と同様に、開口部１０１をコードハウジング２５に嵌装することにより、シェード１０は安定して固定される。
シェード１０の材質としては、本体部１０２には、全面にシボ加工を施した熱可塑性樹脂のポリプロピレン（ＰＰ）等が、枠部１０３には、熱可塑性樹脂で耐衝撃性を有するＡＢＳ樹脂等が、用いられる。本体部１０２の内側は、反射面とされ、ＬＥＤカバー８からの拡散された光を下方に反射するように構成されている。
【００４９】
このように、シェードを変えるだけで、いろいろのタイプのＬＥＤ照明装置を作成することが可能なので、汎用性に優れたＬＥＤ照明装置２００とすることができる。また、吊り部材２とＬＥＤ照明本体１を共通で使用することができるので、コストダウンにも貢献することができる。
【００５０】
（５．リモコン）
光出射状態を制御するリモコン１３は、図２８乃至図３０に示すような、直方体形状の本体１３ａを有し、その上部から、略半円形状で中央に貫通部１３０ａを有する接続部１３ｂが、延出して設けられている。接続部１３ｂは、貫通部１３０ａに連続する上部が、リモコン１３の背面側に突出する凹部１３０ｃとなっている。そのため、凹部１３０ｃを上部側から見ると貫通部１３０ａの下面が見えて、切部１３０ｂとなっている。
【００５１】
引き紐４１の端部にリモコン１３を着脱自在に取り付ける場合について、説明をする。図３１に示すように、リモコン１３を引き紐４１の端部に設けられた円柱形状の重り部４１ｃに装着する場合は、重り部４１ｃをリモコン１３の接続部１３ｂの貫通部１３０ａに挿入して、重り部４１ｃの全ての部分について貫通部１３０ａを通過させてから、引き紐４１を上側に引くと、ボールチェーン部４１ｂが凹部１３０ｃとなっている切部１３０ｂに嵌装して、重り部４１ｃが凹部１３０ｃに接触して抜けない構造となっている。リモコン１３を引き紐４１の端部に設けられた円柱形状の重り部４１ｃから離脱させる場合は、リモコン１３の接続部１３ｂを、ボールチェーン部４１ａまで上げて、重り部４１ｃを貫通部１３０ａから戻せばよい。
これにより、引き紐スイッチによる操作と遠隔操作の２つの操作をすることができ、遠隔操作用のリモコン１３を引き紐４１の端部に着脱自在に取り付けることができると共に、引き紐４１をリモコン１３の収納場所として利用できる。
【００５２】
（６．  その他）
以上のように、本実施形態では、造営材に取り付けられた吊り部材２にＬＥＤ照明本体１とシェード９が、着脱自在に設けられて構成されている。これらによってＬＥＤ照明装置２００は、コンパクト化してコストダウンでき、良好な意匠性を示している。なお、本実施形態では、ＬＥＤ照明本体１の形状を円筒形にしたが、これに限定されず断面が４角形等からなる扁平な多角柱であってもよい。また、上記では、光源として、ＬＥＤ素子７１を例に説明したが、光源の種類に特に限定はなく、他に、例えば、有機ＥＬを使用した照明装置とすることもできる。
【００５３】
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なし得る各種変形、修正もまた本発明に含まれる。
【産業上の利用可能性】
【００５４】
本発明は、リビングや和室、更に、寝室や子供部屋等の各居室や廊下、玄関等の天井面や壁面等に沿って設置される照明装置として、広く適用することができる。
【符号の説明】
【００５５】
１：ＬＥＤ照明本体
２：吊り部材
２１：引掛けシーリング
２２：引掛けカバー
２３：コード
２４：コードアジャスト
２５：コードハウジング    
２５ａ：嵌合部
３：ベース部材
３１：突部
３１ａ：引掛部
３１ｂ：嵌合固定部
３１ｃ：点灯基板固定用孔
３１ｄ：電源コネクタ開口部
３１ｅ：スイッチ固定孔
３１ｆ：回転止め孔
３１ｇ：放熱パット確認孔
３１ｈ：カバー止め孔
３２：ＬＥＤ基板配置部
３２ａ：放射状リブ
３２ｂ：ＬＥＤ基板固定孔
３２ｃ：外周リブ
３３：絶縁シート
３４：引掛孔封止シート
４：スイッチ
４１：引き紐
４１ａ：接続紐
４１ｂ：ボールチェーン部
４１ｃ：重り部
５：点灯回路基板
５１：点灯基板開口部
５２：点灯基板固定孔
５３：電源コネクタ
５４：点灯コネクタ
５５：常夜灯
５６：トランス
５７：電解コンデンサ
５８：ＩＣ
５９：アース用端子孔
６０：放熱パット
５０１：受光部
５０２：ブザー
６：点灯回路カバー
６１：常夜灯筒
６２：引き紐開口部
６３：カバー固定孔
６４：カバー脚
７：ＬＥＤ基板
７１：ＬＥＤ素子
７２：基板間配線
７３：点灯配線
７４：基板固定孔
８：ＬＥＤカバー
８１：カバー開口部
８２：固定用孔
８３：第１固定部
８４：第２固定部
８５：段差部
８６：弾性部材
８７：虫侵入防止部材
８７ａ：ブッシュ凸部
８７ｂ：挿入部
８７ｃ：挿入凸部
８７ｄ：フタ部
８７ｅ：十字切部
８７ｆ：ブッシュ凹部
８７ｇ：挿入口
８７ｈ：挿入凹部
８７ｊ：十字切部
９：シェード
９１：開口部
１０：シェード
１０１：開口部
１０２：本体部
１０３：枠部
１１：天井面
１２：配線器具
１３：リモコン
１３ａ：本体
１３ｂ：接続部
１３０ａ：貫通部
１３０ｂ：切部
１３０ｃ：凹部
２００：ＬＥＤ照明装置  
【図１】
0006374770.tif 000002
【図２】
0006374770.tif 000003
【図３】
0006374770.tif 000004
【図４】
0006374770.tif 000005
【図５】
0006374770.tif 000006
【図６】
0006374770.tif 000007
【図７】
0006374770.tif 000008
【図８】
0006374770.tif 000009
【図９】
0006374770.tif 000010
【図１０】
0006374770.tif 000011
【図１１】
0006374770.tif 000012
【図１２】
0006374770.tif 000013
【図１３】
0006374770.tif 000014
【図１４】
0006374770.tif 000015
【図１５】
0006374770.tif 000016
【図１６】
0006374770.tif 000017
【図１７】
0006374770.tif 000018
【図１８】
0006374770.tif 000019
【図１９】
0006374770.tif 000020
【図２０】
0006374770.tif 000021
【図２１】
0006374770.tif 000022
【図２２】
0006374770.tif 000023
【図２３】
0006374770.tif 000024
【図２４】
0006374770.tif 000025
【図２５】
0006374770.tif 000026
【図２６】
0006374770.tif 000027
【図２７】
0006374770.tif 000028
【図２８】
0006374770.tif 000029
【図２９】
0006374770.tif 000030
【図３０】
0006374770.tif 000031
【図３１】
0006374770.tif 000032